(57)【特許請求の範囲】
【請求項１】
ボールを打撃するフェースを具えたゴルフクラブヘッドであって、
内部に中空部が設けられたヘッド本体と、前記ヘッド本体の前記中空部に配置された錘部材とを少なくとも含み、
前記錘部材は、第１端から第２端までのびており、
前記錘部材の前記第１端側は、前記ヘッド本体の第１位置で、第１軸心周りに回動可能に固定されており、
前記錘部材の前記第２端側は、前記錘部材が前記第１軸心周りで回動したときの軌跡上にある前記ヘッド本体の少なくとも第２位置及び第３位置に移動可能であり、
前記錘部材の前記第２端側を、前記ヘッド本体の第２位置又は前記第３位置のいずれかの位置で固定するための固着具をさらに含み、
前記固着具は、前記第２位置及び前記第３位置の双方で、ヘッド外側から、前記錘部材の前記第２端側と前記ヘッド本体との締め付け及び緩めが可能であることを特徴とするゴルフクラブヘッド。
【請求項２】
前記錘部材は、前記ヘッド本体の底面をなすソール部に固定されている請求項１記載のゴルフクラブヘッド。
【請求項３】
前記第１軸心は、前記ソール部と交差する向きにのびる軸である請求項２記載のゴルフクラブヘッド。
【請求項４】
前記固着具は、前記第２位置及び前記第３位置の双方で、ヘッド外側から締め付け及び緩めが可能なネジ部材である請求項１乃至３のいずれかに記載のゴルフクラブヘッド。
【請求項５】
ヘッドの平面視において、前記第３位置は、前記第２位置よりもヘッド後方にある請求項１乃至４のいずれかに記載のゴルフクラブヘッド。
【請求項６】
前記第１位置がトウ側にあり、
前記第２位置がヒール側にあり、
前記第３位置は、トウ・ヒール方向において、前記第１位置と前記第２位置との間にある請求項１乃至５のいずれかに記載のゴルフクラブヘッド。
【請求項７】
ヘッドの平面視において、前記錘部材の前記第２端側が前記第２位置に固定されたときに、前記錘部材の長手方向は、前記フェースに沿う向きに配置される請求項６記載のゴルフクラブヘッド。
【請求項８】
前記錘部材の中央部は、ソール部側に滑らかに突出する湾曲底面を含む請求項１乃至７のいずれかに記載のゴルフクラブヘッド。
【請求項９】
ボールを打撃するフェースを具えたゴルフクラブヘッドであって、
内部に中空部が設けられたヘッド本体と、前記ヘッド本体の前記中空部に配置された錘部材とを少なくとも含み、
前記ヘッド本体は、前記中空部を構成する前記フェースとクラウン部とソール部とサイド部とホーゼル部とを含み、
前記錘部材は、第１端から第２端までのびており、
前記錘部材の前記第１端側は、前記ヘッド本体の第１位置で、第１軸心周りに回動可能に固定されており、
前記錘部材の前記第２端側は、前記錘部材が前記第１軸心周りで回動したときの軌跡上にある前記ヘッド本体の少なくとも第２位置及び第３位置に移動可能であり、
前記錘部材の前記第２端側を、前記ヘッド本体の第２位置又は前記第３位置のいずれかの位置で固定するための固着具をさらに含み、
前記第１位置には、前記ソール部を貫通する第１孔が形成され、
前記第２位置には、前記ソール部を貫通する第２孔が形成され、
前記第３位置には、前記ソール部を貫通する第３孔が形成され、
前記錘部材は、前記ソール部に固定され、
前記固着部は、前記第２孔又は前記第３孔を貫通するネジ部材であることを特徴とするゴルフクラブヘッド。
【発明の詳細な説明】
【技術分野】
【０００１】
本発明は、ゴルフクラブヘッドに関し、詳しくは、ヘッド重心の位置を調節することができるゴルフクラブヘッドに関する。
【背景技術】
【０００２】
近年、ヘッド重心の位置を調節することが可能なゴルフクラブヘッドが、例えば下記特許文献１乃至２等で提案されている。
【先行技術文献】
【特許文献】
【０００３】
【特許文献１】特開２００９−１１２５７０号公報
【特許文献２】特開２０１１−５１６６号公報
【発明の概要】
【発明が解決しようとする課題】
【０００４】
上述の特許文献１乃至２では、ヘッドの外部に錘部材が取り付けられている。これらのヘッドは、ヘッドの外面形状の制約によって、錘部材の移動範囲が限られてしまい、重心の位置の調整代があまり大きいものではなかった。また、ヘッドのソール部の外面に錘部材が取り付けられているので、ソールの外観を損なうおそれがあった。
【０００５】
本発明は、以上のような実情に鑑み案出なされたもので、ヘッド重心の位置を大きく変化させることが可能なゴルフクラブヘッドを提供することを主たる課題としている。
【課題を解決するための手段】
【０００６】
本発明は、ボールを打撃するフェースを具えたゴルフクラブヘッドであって、内部に中空部が設けられたヘッド本体と、前記ヘッド本体の前記中空部に配置された錘部材とを少なくとも含み、前記錘部材は、第１端から第２端までのびており、前記錘部材の前記第１端側は、前記ヘッド本体の第１位置で、第１軸心周りに回動可能に固定されており、前記錘部材の前記第２端側は、前記錘部材が前記第１軸心周りで回動したときの軌跡上にある前記ヘッド本体の少なくとも第２位置及び第３位置に移動可能であり、前記錘部材の前記第２端側を、前記ヘッド本体の第２位置又は前記第３位置のいずれかの位置で固定するための固着具をさらに含むことを特徴とする。
【０００７】
本発明の他の態様では、前記錘部材は、前記ヘッド本体の底面をなすソール部に固定されても良い。
【０００８】
本発明の他の態様では、前記第１軸心は、前記ソール部と交差する向きにのびる軸とされても良い。
【０００９】
本発明の他の態様では、前記固着具は、前記第２位置及び前記第３位置の双方で、ヘッド外側から締め付け及び緩めが可能なネジ部材であっても良い。
【００１０】
本発明の他の態様では、ヘッドの平面視において、前記第３位置は、前記第２位置よりもヘッド後方にあっても良い。
【００１１】
本発明の他の態様では、前記第１位置がトウ側にあり、前記第２位置がヒール側にあり、前記第３位置は、トウ・ヒール方向において、前記第１位置と前記第２位置との間にあっても良い。
【００１２】
本発明の他の態様では、ヘッドの平面視において、前記錘部材の前記第２端側が前記第２位置に固定されたときに、前記錘部材の長手方向は、前記フェースに沿う向きに配置されても良い。
【発明の効果】
【００１３】
本発明のゴルフクラブヘッドは、内部に中空部が設けられたヘッド本体と、前記ヘッド本体の前記中空部に配置された錘部材とを少なくとも含んでいる。錘部材は、第１端から第２端までのびており、錘部材の第１端側は、ヘッド本体に第１位置で第１軸心周りに回動可能に固定されている。錘部材の第２端側は、錘部材が第１軸心周りで回動したときの軌跡上にあるヘッド本体の少なくとも第２位置及び第３位置に移動可能である。本発明のゴルフクラブヘッドは、さらに、錘部材の第２端側を、ヘッド本体の第２位置又は第３位置のいずれかの位置で固定するための固着具を含む。
【００１４】
このようなゴルフクラブヘッドは、ヘッド内部の空間で、棒状の錘部材の第１端側を第１軸心周りで回動させることで、錘部材の重心をより大きく移動させることができる。従って、本発明のゴルフクラブヘッドは、ヘッド重心の位置をより大きく変化させることが可能である。また、錘部材は、ヘッド本体の中空部内に配置されるので、ソールの外観への影響を小さくすることができる。
【図面の簡単な説明】
【００１５】
【図１】本発明の一実施形態にかかるゴルフクラブヘッドの斜視図である。
【図２】図１の正面図である。
【図３】図１のＡ−Ａ線断面図である。
【図４】図１のゴルフクラブヘッドの水平面に沿った断面図である。
【図５】錘部材の位置を変えた状態を示す図１のゴルフクラブヘッドの水平面に沿った断面図である。
【図６】図１のゴルフクラブヘッドの分解斜視図である。
【図７】（Ａ）及び（Ｂ）は、ゴルフクラブヘッドの諸元を説明するための基準状態の側面図及び正面図である。
【図８】図３のトウ側部分（第１位置）の拡大図である。
【図９】図３のヒール側部分（第２位置）の拡大図である。
【図１０】第３位置として、図４のＢ−Ｂ線拡大断面図である。
【図１１】ゴルフクラブヘッドの底面図である。
【図１２】本発明の他の実施形態を示す第１位置の断面図である。
【発明を実施するための形態】
【００１６】
以下、本発明の実施の一形態が図面に基づき説明される。
本実施形態を通して、同一又は共通する要素については、同一の符号が付されており、重複した要素の説明が省略されている点が先ず指摘される。図１は本実施形態のゴルフクラブヘッド（以下、単に「ヘッド」ということがある。）１の斜視図、図２はその正面図、図３は図１のＡ−Ａ線断面図、図４及び図５は図１のヘッド１の水平断面図、図６は、図１のヘッド１の分解斜視図をそれぞれ示している。本実施形態のヘッド１は、内部の中空部ｉを画定するように、フェース部２、クラウン部３、ソール部４、サイド部５を含んでいる。
【００１７】
図１乃至４に記載されたヘッド１は、規定のライ角及びロフト角で水平面ＨＰ（図２に示す）に置かれた基準状態が示されている。「規定のライ角」及び「規定のロフト角」は、当該ヘッド１に定められたライ角及びロフト角を意味している。特に言及されていない場合、ヘッド１は、このような基準状態に置かれているものとされる。
【００１８】
図１に示されるように、フェース部２は、ボールの打撃面であるフェース２ａを有している。クラウン部３は、フェース部２に連なりヘッド上面を形成している。ソール部４は、フェース部２に連なりヘッド底面を形成している。サイド部５は、クラウン部３とソール部４との間をつないでいる。このサイド部５のトウ側及びヒール側は、それぞれフェース部２に接続されている。クラウン部３のヒール側には、ホーゼル部６が設けられている。ホーゼル部６は、シャフト（図示省略）が固定可能なように、シャフト差込孔６ａを有した筒状である。このシャフト差込孔６ａの中心軸は、シャフト軸中心線に対応している。従って、ヘッド１の単体を規定のライ角に合わせる場合には、シャフト差込孔６ａの軸中心線を基準とすることができる。
【００１９】
本実施形態のヘッド１は、ウッド型のものが示されている。ウッド型のヘッドは、少なくともドライバー（＃１）、ブラッシー（＃２）、スプーン（＃３）、バフィ（＃４）及びクリーク（＃５）を含んでいる。加えて、ウッド型のヘッドは、先に列挙されたものと番手又は名称が異なっていても、略類似した形状を持つヘッドを含む。他の実施形態では、ヘッド１はユーティリティー型に構成され得るし、中空構造であればアイアン型であっても良い。
【００２０】
図３に示されるように、本実施形態のヘッド１は、例えば、内部に中空部ｉが設けられたヘッド本体７と、ヘッド本体７の中空部ｉに配置された錘部材８とを含んでいる。
【００２１】
ヘッド本体７は、上で述べたフェース部２、クラウン部３、ソール部４、サイド部５及びホーゼル部６を含み、中空部ｉを囲む外殻の部分を構成している。本実施形態のヘッド本体７は、例えば、金属材料で形成されている。この金属材料として、例えば、ステンレス、マレージング鋼、チタン合金、マグネシウム合金又はアルミニウム合金が採用され得る。ヘッド本体７の少なくとも一部が繊維強化樹脂で作られても良い。好ましい態様では、ヘッド本体７は、ゴルフ規則を満足するように、４７０cm3以下、より好ましくは４６０cm3以下の体積を有する。
【００２２】
錘部材８は、ヘッド本体７の中空部ｉに配されている。錘部材８の材料は、ヘッド１に質量を提供するものであれば特に限定されないが、好ましくは金属材料で構成される。特に好ましい態様では、錘部材８は、ヘッド本体７を構成している材料に応じて選択され得る。錘部材８は、ヘッド本体７と同じ材料か、又は、それよりも大きい比重を有する材料で構成されるのが望ましい。錘部材８の金属材料としては、例えば、ステンレス、マレージング鋼、チタン合金、マグネシウム合金、アルミニウム合金、銅合金又はタングステン合金等が好適である。
【００２３】
図３及び図４から明らかなように、錘部材８は、第１端１１から第２端１２にのびており、好ましくは、棒状に長く構成されている。錘部材８は、ヘッドの平面視において、第１端１１から第２端１２まで真っ直ぐにのびても良いし、それらの間で湾曲又は屈曲するものでも良い。
【００２４】
錘部材８が配置（固定）される場所は、特に限定されるものではない。好ましい実施形態では、錘部材８は、ヘッド本体７のソール部４に固定されている。錘部材８がソール部４に配置される場合、ヘッド１が低重心化される点で望ましい。以下、本発明の一つの態様として、錘部材８がヘッド本体７のソール部４に配置された態様が説明される。ただし、本発明は、このような態様に限定して解釈されるものではない。例えば、本発明の他の実施形態では、錘部材８は、クラウン部３又はサイド部５に配置されても良い。
【００２５】
図３及び図４に示されるように、錘部材８の第１端１１側は、ヘッド本体７のソール部４に第１位置Ｐ１で、第１軸心Ａ１周りに回動可能に固定されている。この第１軸心Ａ１は、例えば、ソール部４と交差する向きにのびる軸であり、より好ましくはほぼ垂直な軸である。
【００２６】
また、錘部材８の第２端１２側は、錘部材８が第１軸心Ａ１周りで回動したときの軌跡上にあるヘッド本体７の少なくとも第２位置Ｐ２及び第３位置Ｐ３に移動可能である。そして、錘部材８の第２端１２側は、第２位置Ｐ２又は第３位置Ｐ３のいずれかの位置で固着具９によって固定されている。この固着具９は、例えば、ヘッドの外部から錘部材８の第２端１２側をヘッド本体７（ソール部４）に固定することができるネジ部材が好適であるが、これに限定されるものではない。
【００２７】
本実施形態のヘッド１は、ヘッド本体７の中空部ｉの中で、錘部材８の第１端１１側を第１軸心Ａ１の周りで回動させ、第２端１２側を、第２位置Ｐ２又は第３位置Ｐ３に択一的に固定することができる。従って、本実施形態のヘッド１は、錘部材８の重心ｇの位置を、第１軸心Ａ１周りで大きく旋回移動させて変えることができる。特に、錘部材８が本実施形態のように棒状である場合、その重心ｇは第１軸心Ａ１から比較的離れたところに位置する。従って、錘部材８を第１軸心Ａ１周りで旋回させることで、ヘッド１の重心の位置は、より大きく調節され得る。特に好ましい態様では、図３に示されるように、錘部材８の第１端１１から第２端１２までのトウ・ヒール方向の長さＷＬは、好ましくはフェース２ａのトウ・ヒール方向の長さＦＷの７０％以上、より好ましくは８０％以上、さらに好ましくは８５％以上であるのが望ましい。
【００２８】
また、錘部材８は、ヘッド本体７の中空部ｉの内部に配置されるので、ソールの外観への影響を小さくすることができる。また、スイング時に錘部材８が地面に直接接触することによる耐久性を悪化もない。
【００２９】
例えば、図４に示されるヘッド１の平面視において、第３位置Ｐ３は第２位置Ｐ２よりもヘッド後方に設定される。従って、錘部材８の第２端１２側が第３位置Ｐ３に固定された場合（以下、「第３位置固定状態」という。）、錘部材８の重心ｇの位置は、ヘッド後側に寄り、ひいては、より深いヘッド重心が提供される。他方、錘部材８の第２端１２を第２位置Ｐ２に固定した場合（以下、「第２位置固定状態」という。）、錘部材８の重心ｇの位置は、ヘッド前側に寄り、ひいては、より浅いヘッド重心が提供される。従って、本実施形態のヘッド１の重心の位置は、例えば、ゴルファのプレースタイルやスイングの特徴に応じて調節され得る。
【００３０】
特に好ましい態様では、図４に示されるように、第１位置Ｐ１はトウＴ側に設けられ、第２位置Ｐ２はヒールＨ側に設けられ、第３位置Ｐ３は、トウ・ヒール方向において、第１位置Ｐ１と第２位置Ｐ２との間に設けられる。さらに、ヘッド１の平面視において、第２位置固定状態では、錘部材８の長手方向がフェース２ａに沿う向きに配置されるように、第１位置Ｐ１及び第２位置Ｐ２が設定されているのが好ましい。これにより、ヘッド１に、さらに浅い重心を提供することができる。
【００３１】
本実施形態のヘッド１は、第２位置固定状態では、より浅いヘッド重心が提供される。このようなヘッド１は、上級者ゴルファが望む低スピンの打球を提供する。この作用をより効果的に発揮させるために、第２位置固定状態において、重心深度は、好ましくは２９mm以下、より好ましくは２８mm以下、さらに好ましくは２７mm以下とされる。図７（Ａ）に示されるように、重心深度は符号Ｌ１で表され、リーディングエッジ２ｅからヘッド１の重心Ｇまでの水平距離である。
【００３２】
さらに、本実施形態のヘッド１は、第２位置固定状態では、重心距離を相対的小さくすることもできる。図７（Ｂ）に示されるように、重心距離は符号Ｌ２で表され、ヘッド１の重心Ｇとシャフト軸中心線ＣＬとの最短距離である。重心距離が小さいヘッドは、スイング中にヘッド１が返りやすく、ひいてはボールをつかまえやすいという利点がある。このような作用をより効果的に発揮させるために、第２位置固定状態において、重心距離は、好ましくは３３mm以下、より好ましくは３２mm以下、さらに好ましくは３１mm以下とされる。
【００３３】
本実施形態のヘッド１は、第３位置固定状態では、より深い重心が提供される。このようなヘッド１は、アベレージゴルファーが望む高い打ち出し角の打球を提供するとともに、広いスイートエリアをも提供することができる。従って、アベレージゴルファーに、大きな飛距離と安定した打球の方向性を提供することができる。このような作用をより効果的に発揮させるために、好ましい態様では、第３位置固定状態において、重心深度は３０mm以上、より好ましくは３１mm以上、さらに好ましくは３２mm以上とされる。
【００３４】
好ましい態様では、ヘッド１の重心深度に関して、第２位置固定状態と第３位置固定状態との間で、少なくとも３mm以上、好ましくは４mm以上、より好ましくは５mm以上の調節が可能とされる。
【００３５】
さらに、本実施形態のヘッド１は、第３位置固定状態において、重心距離が過度に小さくなるのを防ぐことができる。本実施形態のヘッド１では、第２位置固定状態で、既に小さい重心距離が得られているので、重心距離をこれ以上小さくすると、スイング中にヘッドが過度に返る（ボールが捕まりすぎる）傾向があり、右打ちゴルファの場合、打球が左方向へずれやすくなる。このため、本実施形態のヘッド１では、第３位置固定状態のときに、錘部材の重心ｇがヘッドの後方かつトウ側へ寄るように移動させることで、重心距離をむしろ大きく変化させている。
【００３６】
上述のような可動式の錘部材８は、慣例の技術手段を用いて、種々の具体的な構成で実現することができる。以下に、本発明のいくつかのより具体的な実施形態が示されるが、本発明は、これらの態様に限定されるものではない点が指摘される。
【００３７】
図８には、図３の第１位置Ｐ１付近の拡大図が示されている。本実施形態において、錘部材８の第１端１１側には、例えば、錘部材８の中央部８ｃ（図３に示す）に比して厚さが小さい薄肉部８ａが形成されている。この薄肉部８ａは、実質的に平らな底面８ａ１を有している。この底面８ａ１は、好ましくは水平面を含んでいる。
【００３８】
錘部材８の第１端１１側には、下方にのびるネジ軸２０が設けられている。本実施形態のネジ軸２０は、薄肉部８ａの底面８ａ１から下方に突出している。また、ネジ軸２０と錘部材８とは、互いに相対回転しないように、予め一体に形成されているか、又は、一体に固着されている。
【００３９】
ソール部４の第１位置Ｐ１には、例えば、錘部材８の第１端１１側を支持するための第１マウント部４Ａが設けられている。第１マウント部４Ａは、例えば、中空部ｉ側に突出した略円筒状（ヘッド外面側から見れば凹部）である。本実施形態の第１マウント部４Ａは、実質的に水平な上面４Ａ１を有している。この上面４Ａ１には、ソール部４を貫通する第１孔２２が形成されている。第１孔２２は、第１軸心Ａ１と同心に形成されている。
【００４０】
第１マウント部４Ａの上面４Ａ１には、錘部材８の第１端１１側が載せられている。より詳しくは、錘部材８の薄肉部８ａの底面８ａ１が載せられている。さらに、錘部材８のネジ軸２０は、第１マウント部４Ａの第１孔２２に遊びを持って挿入されており、その一部がヘッド外部に露出している。ヘッド外部に露出しているネジ軸２０には、ヘッド１の外方から、例えば、ワッシャ部材２３を介してナット２４が固着されている。
【００４１】
従って、ナット２４は、ヘッド１の外方から、ネジ軸２０に対して締め付け又はネジ軸２０から緩めることができる。そして、ナット２４がネジ軸２０に強く固着されることにより、錘部材８の第１端１１側は、ヘッド本体７の第１位置Ｐ１に移動不能に固着される。他方、ナット２４を少し緩める（ネジ軸２０から完全に離脱させる必要はない）ことにより、図４に示したように、錘部材８は、第１軸心Ａ１の周りで旋回動することができる。
【００４２】
本実施形態では、ネジ軸２０の下端面に、差込孔２１が形成されている。この差込孔２１には、錘部材８を旋回動させるための工具４０が挿入可能である。工具４０は、例えば、ビットソケット状の差込部を有する手持ち式であり、作業者によって差込孔２１に差し込まれた後、手で回されることにより、ネジ軸２０とともに錘部材８を容易に旋回動させ得る。このような実施形態によれば、錘部材８の位置が簡単な操作で調節され得る。
【００４３】
図９には、図３の錘部材８の第２位置Ｐ２付近の拡大図が示されている。本実施形態において、錘部材８の第２端１２側にも、例えば、錘部材８の中央部８ｃ（図３に示す）に比して厚さが小さい薄肉部８ｂが形成されている。薄肉部８ｂは、実質的に平らな底面８ｂ１を有している。この底面８ｂ１は、好ましくは水平面を含んでいる。また、錘部材８の第２端１２側には、ネジ孔２５が形成されている。本実施形態では、ネジ孔２５は、薄肉部８ｂに設けられている。
【００４４】
錘部材８は、第１端１１側の薄肉部８ａと、第２端１２側の薄肉部８ｂと、それらの間の厚さが大きい中央部８ｃとを含んでいる。このような錘部材８は、長さ方向の略中央位置に、より大きな質量を提供するのに役立つ。好ましい態様では、図３に示されるように、ヘッド１の正面視において、錘部材８の中央部８ｃは、第１マウント部４Ａと第２マウント部４Ｂとの間で、ソール部４側に滑らかに突出する湾曲底面８ｃ１を含むことが望ましい。このような錘部材８は、ヘッド１の低重心化に役立つ。
【００４５】
ソール部４の第２位置Ｐ２には、例えば、錘部材８の第２端１２側を支持するための第２マウント部４Ｂが設けられている。第２マウント部４Ｂは、例えば、中空部ｉ側に突出した略円筒状（ヘッド外面側から見ると、凹部）である。第２マウント部４Ｂは、例えば、実質的に水平な上面４Ｂ１を有している。この上面４Ｂ１には、ソール部４を貫通する第２孔２６が形成されている。
【００４６】
図９には、第２位置固定状態が示されている。固着具９は、例えば、ネジ部材（雄ネジ）からなり、本実施形態では、ワッシャ部材２７を介して、錘部材８のネジ孔２５に締め付けられる。このような固着具９の締め付けにより、錘部材８の第２端１２側が、第２位置Ｐ２でヘッド本体７に移動不能に固着される。従って、本実施形態では、錘部材８の第１端１１側及び第２端１２側が、それぞれ、ヘッド本体７に確実に固着されるので、フェース２ａでボールを打撃した時の衝撃により、錘部材８の位置がずれること等がない点で好ましい。
【００４７】
また、第３位置固定状態を得たい場合、例えば、錘部材８の第２端１２側の固着具９を緩めて錘部材８から完全に離脱させる（第１ステップ）。また、錘部材８の第１端１１側のナット２４が、例えば、少し緩められる（第２ステップ）。この際、ナット２４は、完全にネジ軸２０から離脱させる必要はない。また、第１ステップと第２ステップとは、どちらが先に行われても良い。
【００４８】
その後、例えば、工具４０をネジ軸２０の差込孔２１に装着して回動させることにより、錘部材８を、ヘッド１の中空部ｉ内で、第１軸心Ａ１周りに旋回動させ、第２位置Ｐ２へ移動させることができる（第３ステップ）。
【００４９】
図１０には、第３位置固定状態として、図５のＢ−Ｂ断面図が示されている。図１０に示されるように、錘部材８の第２端１２側を第３位置Ｐ３で支持するために、ヘッド本体７のソール部４には、第３マウント部４Ｃが設けられている。第３マウント部４Ｃは、例えば、中空部ｉ側に突出した略円筒状（ヘッド外面側から見ると、凹部）である。第３マウント部４Ｃは、例えば、実質的に水平な上面４Ｃ１を有しており、この上面４Ｃ１には、移動してきた錘部材８の第２端１２側が載せられる。より詳しくは、錘部材８の薄肉部８ｂの底面８ｂ１が載せられる。好ましい態様では、第２マウント部４Ｂと第３マウント部４Ｃは、互いに同一平面上に含まれる上面４Ｂ１及び４Ｃ１をそれぞれ有する。これにより、錘部材８と各マウント部４Ａ乃至４Ｃとは、十分な接触面積を有し、ひいては、錘部材８の両端部が安定して固定される。
【００５０】
第３マウント部４Ｃには、ネジ孔２５とほぼ同心に、貫通孔である第３孔３０が形成されている。そして、ヘッド１の外方から、例えば、先に取り外された固着具９が、ワッシャ部材３２を介してネジ孔２５に締め付けられる。つまり、固着具９は、錘部材８の第２端１２側を第２位置Ｐ２のみならず、第３位置に固定するためにも利用できる。ネジ３１の締め付けにより、錘部材８の第２端１２側は、第３位置Ｐ３でヘッド本体７に移動不能に固着される（第４ステップ）。本実施形態では、第４ステップの後、錘部材８の第１端１１側のナット２４が、しっかりと締め付けられる（第５ステップ）。ただし、第４ステップと第５ステップとは、いずれが先に行われても良いのは言うまでもない。
【００５１】
以上の工程を経ることにより、錘部材８の第２端１２側を、第２位置Ｐ２から第３位置Ｐ３へと移動させることができる。なお、錘部材８の第２端１２側を、第３位置Ｐ３から第２位置Ｐ２へと移動させる際にも、上記と同様の手順で行われることは容易に理解されるところである。
【００５２】
また、図１１には、第２位置固定状態とされたヘッド１の底面図が示されている。ソール部４の第３位置Ｐ３には、例えば、盲蓋やダミーネジ等の閉塞部材３３によって、第３孔３０が覆われるのが望ましい。同様に、第３位置固定状態では、ソール部４の第２位置Ｐ２に、第２孔２６が露出するおそれがあるので、この状態では、第２孔２６が閉塞部材３３で覆われるのが望ましい。これにより、ヘッド１の外観低下が防止される。
【００５３】
図１２には、本発明のさらに他の実施形態が示されている。この実施形態では、錘部材８が、第１位置Ｐ１において、常時、回動自在に支持されている点で、先の実施形態と異なっている。錘部材８の第１端１１側には、軸５０が下方に突出形成されている。軸５０と第１マウント部４Ａとの間には、例えば、軸受部材３５が配置されている。この軸受部材３５は、例えば、第１マウント部４Ａの上側フランジと、止め輪３６との間で固定されている。さらに、の軸５０の下端には、ナット３７が固着されている。従って、錘部材８の第１端１１側は、常時、第１軸心Ａ１周りで滑らかに回動自在に支持されている。
【００５４】
本実施形態によれば、錘部材８を第２位置Ｐ２と第３位置Ｐ３との間で移動させる工程において、上で述べた第２ステップ（錘部材８の第１端１１側のナット２４を少し緩める工程）及び第５ステップ（錘部材８の第１端１１側のナット２４をしっかりと締め付ける工程）を省略することができる。従って、本実施形態によれば、錘部材８の位置の調整作業がさらに容易に行える。なお、軸受部材３５に代えて、スリーブ部材などが用いられても良い。
【００５５】
本発明のさらに他の実施形態として、ヘッド本体７を改良することもできる。例えば、クラウン部３や、ソール部４が、ネジ等の固着具を用いて取り外し可能に構成されても良い。この場合、クラウン部３又はソール部４の取り外された空間を利用して、錘部材８の交換又は移動が可能になる。さらに、このような実施形態では、錘部材８の上に、さらに、可動式の第２錘部材を配置しておき、第２錘部材を、前記空間を利用して移動させることができる（いずれも図示省略）。
【００５６】
以上、本発明の実施形態が詳細に説明されたが、本発明は、上記の具体的な実施形態に限定されるものではなく、本発明の要旨を逸脱しない範囲において、種々の態様に変形して実施される。
【実施例】
【００５７】
次に、本発明のより具体的な実施例が説明されるが、本発明をこのような態様に限定して解釈してはならない。図１〜図６に示された基本形状を有するウッド型のヘッドが、表１の仕様に基づき試作され、各ヘッドの重心の位置が測定された。ヘッドの主な仕様は、以下の通りである。
【００５８】
ヘッド体積：180cm3
ヘッド本体の材料：Custom450
ヘッド本体の比重：7.76
錘部材の材料：Custom450
錘部材の比重：7.76
錘部材の質量：41g
【００５９】
先ず、基準状態において、ヘッドの重心位置（ｘ及びｙ座標）が測定された。ｘ値は、図２に示されるように、ヘッド正面視において、フェースセンターＦＣを原点としたｘ−ｙ直交座標の横軸の値であり、プラス値はヒール側であることを示す。同様に、ｙ値は、ヘッド正面視において、フェースセンターを原点としたｘ−ｙ直交座標の縦軸の値であり、プラス値はクラウン側であることを示す。
【００６０】
また、図７（Ａ）に示されるように、水平面ＨＰからスイートスポットＳＳまでの垂直距離であるスイートスポット高さＳＨ、ヘッドの重心Ｇとリーディングエッジ２ｅとの間の水平距離である重心深度Ｌ１、及び、図７（Ｂ）に示されるように、ヘッドの重心Ｇとシャフト軸中心線ＣＬとの最短距離である重心距離Ｌ２が測定された。さらに、ヘッドの重心を通りトウ・ヒール方向にのびる水平軸回りの上下慣性モーメント、及び、ヘッドの重心を通る垂直軸回りの左右慣性モーメントが測定された。
テストの結果は、表１に示されている。
【００６１】
【表１】
0006484141.tif 000002
【００６２】
テストの結果、実施例のヘッドは、第２位置固定状態と第３位置固定状態との間で、ヘッドの重心の位置を大きく変化させていることが確認できた。
【符号の説明】
【００６３】
１  ゴルフクラブヘッド
２ａ  フェース
４  ソール部
７  ヘッド本体
８  錘部材
１１  錘部材の第１端
１２  錘部材の第２端
ｉ  中空部
Ｐ１  第１位置
Ｐ２  第２位置
Ｐ３  第３位置
【図１】
0006484141.tif 000003
【図２】
0006484141.tif 000004
【図３】
0006484141.tif 000005
【図４】
0006484141.tif 000006
【図５】
0006484141.tif 000007
【図６】
0006484141.tif 000008
【図７】
0006484141.tif 000009
【図８】
0006484141.tif 000010
【図９】
0006484141.tif 000011
【図１０】
0006484141.tif 000012
【図１１】
0006484141.tif 000013
【図１２】
0006484141.tif 000014